(57)【要約】      （修正有）【課題】照明の均一性及び安定性が向上するファンライトを提供する。【解決手段】スリーブとヘッドとを備えるヘッドアセンブリと、ファンライトアセンブリとを含むファンライトであって、ファンライトアセンブリは、上端は吸込口であり、下端は吹出口である筐体３６と、筐体の吹出口に接続される吹出シェード３１と、筐体の吸込口に接続される吸込シェード３７と、筐体内に位置し且つ吸込シェードに接続される扇風機３５と、筐体の吹出端を取り囲むように接続されるライトストリップ３４であって、扇風機はライトストリップの軸線方向における正投影と上下にずれるように設けられ、ファンライトを取り付けた後、ライトストリップが扇風機の下方に位置するライトストリップと、ライトストリップの外周を取り囲むように設けられる拡散板３８と、筐体に取り付けられるアルミ製放熱部材３３であって、ライトストリップはアルミ製放熱部材に固定されるアルミ製放熱部材とを含む。【選択図】図２
0003231282.tif 000002
【実用新案登録請求の範囲】
【請求項１】
スリーブと前記スリーブの一端に接続されるヘッドとを備えるヘッドアセンブリと、シャフトアセンブリによって前記スリーブの他端に接続されるファンライトアセンブリとを含むファンライトであって、
前記ファンライトアセンブリは、上端は吸込口であり、下端は吹出口である筐体と、
前記筐体の吹出口に接続される吹出シェードと、
前記筐体の吸込口に接続される吸込シェードであって、前記シャフトアセンブリは前記吸込シェードに接続される吸込シェードと、
前記筐体内に位置し且つ前記吸込シェードに接続される扇風機と、
前記筐体の吹出端を取り囲むように接続されるライトストリップであって、前記扇風機は前記ライトストリップの軸線方向における正投影と上下にずれるように設けられ、前記ファンライトを取り付けた後、前記ライトストリップが前記扇風機の下方に位置するライトストリップと、
前記ライトストリップの外周を取り囲むように設けられる拡散板と、
前記筐体に取り付けられるアルミ製放熱部材であって、前記ライトストリップは前記アルミ製放熱部材に固定されるアルミ製放熱部材とを含むことを特徴とするファンライト。
【請求項２】
前記ファンライトアセンブリは人体感知センサーをさらに含み、前記人体感知センサーは前記筐体に取り付けられ且つ前記吹出シェードの外部に露出し、前記人体感知センサーと前記ファンライトのコントロールスイッチは信号によって接続されることを特徴とする請求項１に記載のファンライト。
【請求項３】
前記筐体には前記人体感知センサーを取り付けるためのスタッドが設けられることを特徴とする請求項２に記載のファンライト。
【請求項４】
前記ファンライトアセンブリは前記筐体の吹出端を取り囲むように接続される装飾蓋をさらに含み、前記装飾蓋は前記ライトストリップの下方に位置し、前記装飾蓋には前記吹出シェードを取り付けるための係止アセンブリが設けられ、前記吹出シェードは前記係止アセンブリによって前記装飾蓋に接続されることを特徴とする請求項１〜３のいずれか１項に記載のファンライト。
【請求項５】
前記係止アセンブリは前記装飾蓋に固定して接続されるガイドブロックと、前記吹出シェードをロックするための弾性ロックとを含み、前記ガイドブロックには前記弾性ロックが往復移動するためにガイド孔が設けられ、前記吹出シェードの内側には前記弾性ロックが進入するためにロック孔が対応して設けられることを特徴とする請求項４に記載のファンライト。
【請求項６】
前記弾性ロックは前記ガイド孔と滑りばめで係合されるガイドピラーと、前記ガイドピラーに嵌設されるばねとを含み、前記ばねは前記ガイド孔内に位置し、前記ガイド孔の一端には前記ばねを受け止めるためのストップリングが設けられ、前記ガイドピラーの一端は前記ストップリングを通過し、前記ガイドピラーの他端には前記ばねを制限するストップブロックが設けられ、前記ストップブロックには前記ロック孔に挿入するためのラッチボルトが設けられることを特徴とする請求項５に記載のファンライト。
【請求項７】
前記ストップブロックの外側には人力で前記ガイドピラーを推して往復移動させるための付勢板が設けられ、前記吹出シェードには前記付勢板が露出するために切り欠きが設けられることを特徴とする請求項６に記載のファンライト。
【請求項８】
前記付勢板の外側に滑り止め模様が設けられることを特徴とする請求項７に記載のファンライト。
【請求項９】
前記ガイドブロックの上面及び下面には前記ガイドブロックが往復摺動しやすいようにそれぞれ複数の球状突起が設けられることを特徴とする請求項５に記載のファンライト。
【請求項１０】
前記係止アセンブリは２組であり、前記装飾蓋の両側に対称に設けられることを特徴とする請求項４に記載のファンライト。
【考案の詳細な説明】
【技術分野】
【０００１】
本考案は、照明器具の技術分野に関し、より詳しく言えば、ファンライトに関する。
【背景技術】
【０００２】
ファンライトは、照明具と扇風機の両方の機能を備えるため、幅広く用いられるようになる。従来のファンライトでは、ブレードがライトストリップによって取り囲まれるのがほとんどで、ブレードがライトストリップの軸線方向における正投影と重なるため、ブレードが回転する時は照明効果にある程度の影響があり、シャドウが出たり、利用者がめまいをしたりするなど問題があり、照明の均一性、安定性、快適性が損なわれる。
【考案の概要】
【考案が解決しようとする課題】
【０００３】
本考案は、ブレードがライトストリップと重なるため照明が不安定であるという問題を解決するために、ファンライトを提供することを目的とする。
【課題を解決するための手段】
【０００４】
上記の目的を達成するための本考案の技術的解決手段は次のとおりである。
スリーブと前記スリーブの一端に接続されるヘッドとを備えるヘッドアセンブリと、シャフトアセンブリによって前記スリーブの他端に接続されるファンライトアセンブリとを含むファンライトであって、前記ファンライトアセンブリは、上端は吸込口であり、下端は吹出口である筐体と、前記筐体の吹出口に接続される吹出シェードと、前記筐体の吸込口に接続される吸込シェードであって、前記シャフトアセンブリは前記吸込シェードに接続される吸込シェードと、前記筐体内に位置し且つ前記吸込シェードに接続される扇風機と、前記筐体の吹出端を取り囲むように接続されるライトストリップであって、前記扇風機は前記ライトストリップの軸線方向における正投影と上下にずれるように設けられ、前記ファンライトを取り付けた後、前記ライトストリップが前記扇風機の下方に位置するライトストリップと、前記ライトストリップの外周を取り囲むように設けられる拡散板と、前記筐体に取り付けられるアルミ製放熱部材であって、前記ライトストリップは前記アルミ製放熱部材に固定されるアルミ製放熱部材とを含むファンライトを提供する。
【０００５】
本願の一実施例では、前記ファンライトアセンブリは人体感知センサーをさらに含み、前記人体感知センサーは前記筐体に取り付けられ且つ前記吹出シェードの外部に露出し、前記人体感知センサーと前記ファンライトのコントロールスイッチは信号によって接続される。
【０００６】
本願の一実施例では、前記筐体には前記人体感知センサーを取り付けるためのスタッドが設けられる。
【０００７】
本願の一実施例では、前記ファンライトアセンブリは前記筐体の吹出端を取り囲むように接続される装飾蓋をさらに含み、前記装飾蓋は前記ライトストリップの下方に位置し、前記装飾蓋には前記吹出シェードを取り付けるための係止アセンブリが設けられ、前記吹出シェードは前記係止アセンブリによって前記装飾蓋に接続される。
【０００８】
本願の一実施例では、前記係止アセンブリは前記装飾蓋に固定して接続されるガイドブロックと、前記吹出シェードをロックするための弾性ロックとを含み、前記ガイドブロックには前記弾性ロックが往復移動するためにガイド孔が設けられ、前記吹出シェードの内側には前記弾性ロックが進入するためにロック孔が対応して設けられる。
【０００９】
本願の一実施例では、前記弾性ロックは前記ガイド孔と滑りばめで係合されるガイドピラーと、前記ガイドピラーに嵌設されるばねとを含み、前記ばねは前記ガイド孔内に位置し、前記ガイド孔の一端には前記ばねを受け止めるためのストップリングが設けられ、前記ガイドピラーの一端は前記ストップリングを通過し、前記ガイドピラーの他端には前記ばねを制限するストップブロックが設けられ、前記ストップブロックには前記ロック孔に挿入するためのラッチボルトが設けられる。
【００１０】
本願の一実施例では、前記ストップブロックの外側には人力で前記ガイドピラーを推して往復移動させるための付勢板が設けられ、前記吹出シェードには前記付勢板が露出するために切り欠きが設けられる。
【００１１】
本願の一実施例では、前記付勢板の外側に滑り止め模様が設けられる。
【００１２】
本願の一実施例では、前記ガイドブロックの上面及び下面には前記ガイドブロックが往復摺動しやすいようにそれぞれ複数の球状突起が設けられる。
【００１３】
本願の一実施例では、前記係止アセンブリは２組であり、前記装飾蓋の両側に対称に設けられる。
【考案の効果】
【００１４】
本考案のファンライトの有益な効果は次のとおりである。
従来技術と比べて、本考案のファンライトは、扇風機はライトストリップの軸線方向における正投影と上下にずれるように設けられ、ファンライトが所定の設置位置に取り付けられた後、ライトストリップが扇風機の下方に位置し、扇風機がライトストリップの上方に回転するため、射出光に影響はなく、照明の均一性、安定性及び快適性が向上し、照明効果が改善される。
【図面の簡単な説明】
【００１５】
次に、本考案の実施例に係る技術的解決手段を一層明瞭に説明するために、従来技術又は実施例の説明に用いる図面を簡単に説明する。なお、次の説明に係る図面は本考案のいくつかの実施例を示すものに過ぎず、当業者が新規性のある作業をすることなく、これらの図面から他の図面を得ることができる。
【図１】図１は本考案の実施例に係るファンライトの構造模式図である。
【図２】図２は本考案の実施例に係るファンライトアセンブリの分解構造模式図である。
【図３】図３は本考案の実施例に係るファンライトの正面構造模式図である。
【図４】図４は図３のＡ−Ａ線における断面構造図である。
【図５】図５は本考案の実施例に係るファンライトの吹出シェードを除いた立体構造模式図である。
【図６】図６は図５で採用される装飾蓋の立体構造模式図である。
【図７】図７は図５で採用される係止アセンブリの一角度からの立体構造模式図である。
【図８】図８は図５で採用される係止アセンブリの別の角度からの立体構造模式図である。
【図９】図９は本考案の実施例に係る吹出シェードの立体構造模式図である。
【図１０】図１０は本考案の実施例に係る筐体の立体構造模式図である。
【図１１】図１１は本考案の実施例に係るアルミ製放熱部材の立体構造模式図である。
【考案を実施するための形態】
【００１６】
次に、本考案が解決しようとする課題、技術的解決手段及び有益な効果が一層明瞭になるよう、実施例及び図面を参照して、本考案の一層詳細な説明を行う。なお、ここで説明するいくつかの実施例は本考案の限定にならず、その説明のためのものに過ぎない。
【００１７】
図１から図１１を参照して、本考案のファンライトを説明する。前記ファンライトは、スリーブ２２とスリーブ２２の一端に接続されるヘッド２１とを備えるヘッドアセンブリ２と、シャフトアセンブリ１によってスリーブ２２の他端に接続されるファンライトアセンブリ３とを含み、ファンライトアセンブリ３は、上端は吸込口であり、下端は吹出口である筐体３６と、筐体３６の吹出口に接続される吹出シェード３１と、筐体３６の吸込口に接続される吸込シェード３７であって、シャフトアセンブリ１は吸込シェード３７に接続される吸込シェード３７と、筐体３６内に位置し且つ吸込シェード３７に接続される扇風機３５と、筐体３６の吹出端を取り囲むように接続されるライトストリップ３４であって、扇風機３５はライトストリップ３４の軸線方向における正投影と上下にずれるように設けられ、ファンライトを取り付けた後、ライトストリップ３４が扇風機３５の下方に位置するライトストリップ３４と、ライトストリップ３４の外周を取り囲むように設けられる拡散板３８と、筐体３６に取り付けられるアルミ製放熱部材３３であって、ライトストリップ３４はアルミ製放熱部材３３に固定されるアルミ製放熱部材３３とを含む。
【００１８】
従来技術と比べて、本考案のファンライトは、扇風機３５はライトストリップ３４の軸線方向における正投影と上下にずれるように設けられ、ファンライトが所定の設置位置に取り付けられた後、ライトストリップ３４が扇風機３５の下方に位置し、扇風機３５がライトストリップ３４の上方に回転するため、射出光に影響はなく、照明の均一性及び安定性が向上し、照明効果が改善される。
【００１９】
本考案でヘッドアセンブリ２にはライトホルダーに組み立てるヘッド２１が設けられ、ヘッド２１は既存の様々な型番や仕様のライトホルダー、例えばＥ２６、Ｅ２７、角型ライトホルダー等に適合し、自宅はもちろん、事務室、廊下等の場面に使用する場合にも、取り付けと取り外しが容易である。特に本体に故障が起きて修理又は取替えが必要である場合に、専門の業者やツールに頼ることなく手操作で取り外し作業が可能であり、シンプルな取り付けと取替えを実現している。
【００２０】
また、ファンライトの主駆動装置はヘッドアセンブリ２のスリーブ２２内に内蔵して設けられる。
【００２１】
本考案のファンライト一実施形態では、図１から図５が参照されるとおり、前記ファンライトアセンブリ３は人体感知センサー３９をさらに含み、人体感知センサー３９は筐体３６に取り付けられ且つ吹出シェード３１の外部に露出し、人体感知センサー３９とファンライトのコントロールスイッチは信号によって接続される。人体感知センサー３９が人間が近づくことを検知した場合、コントロールスイッチがオンし、ファンライトをオンし、人間が離れていくと、ファンライトをオフし、人体感知センサー３９によってファンライトのオンオフを制御することで、省エネの効果を得る。また、扇風機とライトストリップ３４はそれぞれ制御され、例えば、夏以外の季節など扇風機を使わない場合には、照明をつけるだけでよい。吹出シェード３１には人体感知センサー３９が露出するために貫通孔３１３が設けられる。
【００２２】
本考案の実施例の一実施形態では、図２及び図１０が参照されるとおり、前記筐体３６には人体感知センサー３９を取り付けるためのスタッド３６１が設けられる。人体感知センサー３９の取付け孔を通過するねじ又はボルトとスタッド３６１のねじ接続によって、人体感知センサー３９が固定され、シンプルな組み立てを実現している。本実施例で筐体３６には複数のスタッド３６１が設けられ、人体感知センサー３９を取り付ける他に、装飾蓋３２を取り付けるためにも用いられ、スタッド３６１の構造が同じであるため、図面では一律番号３６１と記す。
【００２３】
本考案の実施例の一実施形態では、図２及び図５が参照されるとおり、ファンライトアセンブリ３は筐体３６の吹出端を取り囲むように接続される装飾蓋３２をさらに含み、装飾蓋３２はライトストリップ３４の下方に位置し、装飾蓋３２には吹出シェード３１を取り付けるための係止アセンブリが設けられ、吹出シェード３１は係止アセンブリによって装飾蓋３２に接続される。装飾蓋３２は吹出シェード３１の取り外し可能な接続のための支持台として提供される。本実施例で方位を示す上方、下方とは、ファンライトを取り付けて使用している時の方位関係をいうに対して用いられる。装飾蓋３２と筐体３６はボルトによって接続され、筐体３６には装飾蓋３２を接続するためのスタッド３６１が複数設けられる。拡散板３８は装飾蓋３２と筐体３６との間に圧着され、拡散板３８の内周には装飾蓋３２を接続するスタッド３６１を回避するための回避凹溝が設けられ、当該回避凹溝は拡散板３８の取付けの際に、拡散板３８の位置を決め拡散板３８の相対回転を防ぐように制限する。
【００２４】
本実施例では、図５及び図６が参照されるとおり、装飾蓋３２には人体感知センサー３９が通過するために貫通孔が設けられ、人体感知センサー３９は筐体３６に取り付けられ、筐体３６の外側に装飾蓋３２が設けられ、人体感知センサー３９の感知部が装飾蓋３２及び吹出シェード３１を通過して外側に露出する。図面では吹出シェード３１の貫通孔３１３に記号が付けられ、装飾蓋３２の貫通孔には記号を付さない。
【００２５】
本考案の実施例の一実施形態では、図５から図９が参照されるとおり、前記係止アセンブリは装飾蓋３２に固定して接続されるガイドブロック３２２と、吹出シェード３１をロックするための弾性ロックとを含み、ガイドブロック３２２には弾性ロックが往復移動するためにガイド孔３２５が設けられ、吹出シェード３１の内側には弾性ロックが進入するためにロック孔３１１が対応して設けられる。吹出シェード３１と装飾蓋３２は係止アセンブリによって係止され、取り付けにも取り外しにも専門のツールを使う必要がないため、シンプルな組み立てと取替えを実現している。組み立てる時は、吹出シェード３１のロック孔３１１が設けられる位置を装飾蓋３２における弾性ロックの位置に合わせて押し入れると、吹出シェード３１のロック孔のあたりが弾性ロックを押し付け、弾性ロックが弾力に弾かれて後退し、弾性ロックがロック孔３１１に合わせると、弾性ロックが弾性によって回復し、ロック孔３１１に挿入される。
【００２６】
本考案の実施例の一実施形態では、図６から図８が参照されるとおり、前記弾性ロックはガイド孔３２５と滑りばめで係合されるガイドピラー３２７と、ガイドピラー３２７に嵌設されるばね３２６とを含み、ばね３２６はガイド孔３２５内に位置し、ガイド孔３２５の一端にはばね３２６を受け止めるためのストップリングが設けられ、ガイドピラー３２７の一端はストップリングを通過し、ガイドピラー３２７の他端にはばね３２６を制限するストップブロックが設けられ、ストップブロックにはロック孔３１１に挿入するためのラッチボルト３２４が設けられる。ばね３２６はガイド孔３２５の一端のストップリング及びガイドピラー３２７のストップブロックによって制限され、装飾蓋３２のロック孔がラッチボルト３２４を押し付けて、ガイドピラー３２７がストップブロックを連れてばね３２６を押し付けると、ばね３２６に弾力が蓄えられ、ラッチボルト３２４とロック孔３１１が合わせると、ばね３２６が回復し、ラッチボルト３２４を駆動してロック孔３１１に挿入させる。
【００２７】
本考案の実施例の一実施形態では、図１、図５、図７、図８が参照されるとおり、前記ストップブロックの外側には人力でガイドピラー３２７を推して往復移動させるための付勢板３２３が設けられ、吹出シェード３１には付勢板３２３が露出するために切り欠き３１２が設けられる。付勢板３２３及び切り欠き３１２を設けると、吹出シェード３１を取り外したい場合に、人力で付勢板３２３を推すと、ガイドピラー３２７が移動し、ラッチボルト３２４を連れてロック孔３１１から外れると、アンロックすることで、吹出シェード３１を容易に取り外すことができる。
【００２８】
本考案の実施例の一実施形態では、図５及び図７が参照されるとおり、前記付勢板３２３の外側に滑り止め模様が設けられる。滑り止め模様を設けると、手で操作する時には摩擦力が増大し、手が滑って離脱することは避けられ、より信頼性の高い操作を実現している。
【００２９】
本考案の実施例の一実施形態では、図７及び図８が参照されるとおり、前記ガイドブロック３２２の上面及び下面にはガイドブロック３２２が往復摺動しやすいようにそれぞれ複数の球状突起３２８が設けられる。球状突起３２８を設けると、ガイドブロック３２２と吹出シェード３１及び装飾蓋３２との間の摩擦抵抗が低減され、ガイドブロック３２２が移動しやすいようになる。
【００３０】
本実施例では、前記装飾蓋３２には吹出シェード３１を支持するための複数の止め板３２１がさらに設けられる。吹出シェード３１が装飾蓋３２に取り付けられた後、装飾蓋３２との間に一定のギャップが保たれ、気流がここを流れることで、放熱効果が改善される。
【００３１】
本考案の実施例の一実施形態では、図５が参照されるとおり、前記係止アセンブリは２組であり、装飾蓋３２の両側に対称に設けられる。
【００３２】
上述した内容が本考案の限定にならず、その好ましい実施例に過ぎない。本考案の趣旨を超えることなくなされた変更や、同等な差し替え、改良等は、いずれも本考案の保護範囲に含まれる。
【符号の説明】
【００３３】
１...シャフトアセンブリ、２...ヘッドアセンブリ、２１...ヘッド、２２...スリーブ、３...ファンライトアセンブリ、３１...吹出シェード、３１１...ロック孔、３１２...切り欠き、３１３...貫通孔、３２...装飾蓋、３２１...止め板、３２２...ガイドブロック、３２３...付勢板、３２４...ラッチボルト、３２５...ガイド孔、３２６...ばね、３２７...ガイドピラー、３２８...球状突起、３３...アルミ製放熱部材、３４...ライトストリップ、３５...扇風機、３６...筐体、３６１...スタッド、３７...吸込シェード、３８...拡散板、３９...人体感知センサー。
【図１】
0003231282.tif 000003
【図２】
0003231282.tif 000004
【図３】
0003231282.tif 000005
【図４】
0003231282.tif 000006
【図５】
0003231282.tif 000007
【図６】
0003231282.tif 000008
【図７】
0003231282.tif 000009
【図８】
0003231282.tif 000010
【図９】
0003231282.tif 000011
【図１０】
0003231282.tif 000012
【図１１】
0003231282.tif 000013